(57)【要約】【課題】段数を自由に変えて組立てができ、組立が容易で安定性があり、また、コンパクトに仕舞うこともでき、いずれの作業においてもフオークリフトの使用が可能である多段自在組立棚を提供する。【解決手段】矩形に枠組みされた四隅に継手を設けた複数枚の棚板と、上下棚板の間に四隅において継手を介して直列に接続される左右一対ずつの４本を一組とする取替え自在な多数本の支柱とからなり、継手については、上記支柱が差し込まれて嵌合する起立筒部材の下部を脚として垂下してあって、その脚の下端に、下位の起立筒部材を受け入れ得るようにラッパ状に下面に広がって開口する座口を設け、起立筒部材の下端近くにそれに嵌合する上下支柱が突き当たるストッパーを設けた。【選択図】    図１
0003131066.tif 000002
【実用新案登録請求の範囲】
【請求項１】
矩形に枠組みされた四隅に継手を設けた複数枚の棚板と、上下棚板の間に四隅において継手を介して直列に接続される左右一対ずつの４本を一組とする取替え自在な多数本の支柱とからなり、継手については、上記支柱が差し込まれて嵌合する起立筒部材の下部を脚として垂下してあって、その脚の下端に、下位の起立筒部材を受け入れ得るようにラッパ状に下面に広がって開口する座口を設け、起立筒部材の下端近くにそれに嵌合する上下支柱が突き当たるストッパーを設けたことを特徴とする多段自在組立棚。
【請求項２】
棚板の構成部材及び支柱がそれぞれ矩形断面の鋼管であって、棚板の構造について、矩形の枠組みの中に縦横桟を組み入れた格子状に構成され、四隅の継手の起立筒部材の側面に枠組みの縦横フレームを突き合わせ、外側にＬ字形に屈折して該両フレームの側面にわたる添板金を当て溶接により両フレーム、起立筒部材、添板金の相互を一体化したことを特徴とする多段自在組立棚。
【考案の詳細な説明】
【技術分野】
【０００１】
この考案は、主に倉庫内において設置する組立棚であって、荷物を載せる棚の段数を自由に設定ないし変更できる多段自在組立棚に関する。
【背景技術】
【０００２】
倉庫においては需要等の状況に応じて空間が効率的に有効利用することが求められる。そのため棚の数や種類、位置等が勘案されながらレイアウトされる。従来の棚は、一般的にスチールパイプを継ぎ手により連結したり番線で締結したりして組み立てたものが多用されるが、これでは組み替えに時間と労力を要するので、様々な形態のものが使用される。
【０００３】
例えば、フオークリフトの爪を差し込むことのできるパレット状に組み立てられた棚板の四隅に支柱を立設し、上端には支柱間に架設することにより前方開放のコ字形に棚受枠を設けた（ネステナーと称される）組立完成棚を挙げることができる。これによれば、積み上げることにより必要な段数の棚が得られ、荷物の段積みが可能であり保管するときはコンパクトにまとまる利点があるものの、組立式ではなく形状（高さ、幅等）が決まっているので汎用性に欠けるという欠点があった。
【０００４】
また、左右支柱の間に棚掛桟（横桟）を数段に架設した前後一対のフレームを間隔を置いて連結し、前後棚掛桟の間に架設した荷受桟の上に荷物を載せるようにした（固定ラックと称される）組立棚を挙げることができるが、これによると、組立方により荷物の高さに対応できるが、組立てに時間がかかりレイアウト変更が容易でないという問題があった。
【考案の開示】
【考案が解決しようとする課題】
【０００５】
この考案は、上記のような実情に鑑みて、段数を自由に変えて組立てができ、組立が容易で安定性があり、また、コンパクトに仕舞うこともでき、いずれの作業においてもフオークリフトの使用が可能である多段自在組立棚を提供することを課題とした。
【課題を解決するための手段】
【０００６】
上記の課題を解決するために、この考案は、矩形に枠組みされた四隅に継手を設けた複数枚の棚板と、上下棚板の間に四隅において継手を介して直列に接続される左右一対ずつの４本を一組とする取替え自在な多数本の支柱とからなり、継手については、上記支柱が差し込まれて嵌合する起立筒部材の下部を脚として垂下してあって、その脚の下端に、下位の起立筒部材を受け入れ得るようにラッパ状に下面に広がって開口する座口を設け、起立筒部材の下端近くにそれに嵌合する上下支柱が突き当たるストッパーを設けたことを特徴とする多段自在組立棚を提供するものである。
【０００７】
多段自在組立棚を上記のように構成したから、これを使用する場合には、まず、床に置く最初の棚板において四隅の各起立筒部材に支柱を差し込んで立て、それからフオークリフト等を使って次の棚板を持ち上げながらその各座口を支柱の上端に被せてその上端を座口から脚に嵌めることにより棚板を四本の支柱３，３，・・の上に載せる。次に、その載せた棚板に同じように四本の支柱を立設してから棚板をその上に載せる、という手順を繰り返して所定の段数の棚を組み立てることができる。
【０００８】
また、使用しない場合には、棚板を単独に積み重ねながら、その都度、下位の棚板の起立筒部材の上端に上位の棚板の座口を被せることにより載せ、これを繰り返した多段に積み重ねる。こうすると、格段毎に座口で支柱が保持されるため、その積み重ねの安定化を図ることができる。
【考案の効果】
【０００９】
以上説明したように、この考案の多段自在組立棚によれば、棚板の四隅の継手の起立筒部材に支柱を立設し、上位の棚板の座口を被せながらその中心部の脚に下位の支柱の上端を差し込むという手順により、棚板の段数を自由に変え安定して組立てができ、その際に下位の支柱の上端には広い座口が差し込みの案内となるので、組立てが容易であり、また、使用しないときには、棚板については、上位の座口を支柱の上端に被せるという容易な作業により、安定して積み上げて保管でき、いずれの作業においても、棚板の下に爪を差し入れてそれを受けうるので、フオークリフトの使用が可能であるという優れた効果がある。
【考案を実施するための最良の形態】
【００１０】
図面は、この考案の一実施形態を示したもので、その多段自在組立棚は、複数の棚板１，１，・・と、棚板１と棚板１との間に四隅でそれぞれ介在させる４本を一組とする多数本の支柱３，３・・とからなり、全体的に矩形断面の鋼管からなる形材が部材として使用されるが、スチールパイプはもとよりアルミ押出形材や木の角材等の他種の部材を使用することも可能である。なお、４本を一組とする支柱３，３…は、組み立てられた棚の高さを決定することになるが、使用状況によって要求される高さに応じ得るように、複数段階の長さの支柱が適宜用意されている。
【００１１】
棚板１は、左右に長い矩形に形材により枠組み状に形成され、左右フレーム５，５と前後フレーム６，６との枠組みの中に縦横に桟７，８を組むことにより格子状に形成される。また、その枠組みの構造において四隅に上下支柱３，３の継手９，９，９，９が設けられている。
【００１２】
継手９は、支柱３が差し込まれる起立筒部材１１を主体としたもので、その下端に下位の支柱３を受け入れるラッパ口状に開く座口１３が一体に形成される。継手９の取付けについては、起立筒部材１１の下端近くにおいて側面に縦横フレーム５，６を突き合わせて溶接するとともに、外側の両側面に両フレーム５，６にわたるＬ字形の添板金１２を当て、起立筒部材１１の側面からそのフレーム５，６にわたって溶接することにより棚板１と一体化されている。そして、起立筒部材１１の下部が脚１６としてフレーム５，６から少し垂下し、脚１６の下端に座口１３が開口する。
【００１３】
図２は、多段自在組立棚を組み立てた状態を示したもので、それぞれの棚板１において、上位の支柱３が四隅の継手９の起立筒部材１１に差し込まれて起立し、下位の支柱３が広い座口１３から起立筒部材１１の下端の脚１６に差し込まれている。そして、起立筒部材１１の下端近くの内部にストッパー１４が形成されているので、上下支柱３，３がそこで止められている。
【００１４】
図３は、棚板１，１・・だけをまとめて保管するために高く積み上げた場合を示したもので、座口１３が下位の棚板１の起立筒部材１１で受けられ、上位の棚板１の座口１３を起立筒部材１１で受けている。なお、支柱３，３，・・は別途に仕舞われる。この支柱３，３…については、前記したように４本一組の長さの異なる数種類が用意されている。
【００１５】
座口１３がこのようにラッパ状に広く開口形状であるため、床Ｆに対する着座の安定性（図２）、支柱３の起立筒部材１１への導入案内（図１，図２）、他の起立筒部材１１の受け（図３）の作用をそれぞれ果たし、また、作業性の向上をもたらす。
【図面の簡単な説明】
【００１６】
【図１】この考案の多段自在組立棚を組立て手順で示す分解斜視図である。
【図２】同多段自在組立棚の組立て状態を示す一部切欠した正面図である。
【図３】同多段自在組立棚を棚板を単独で積み重ねた不使用保管時の一部切欠した正面図である。
【符号の説明】
【００１７】
１  棚板
３  支柱
５，６  フレーム
７，８  桟
９  継手
１１  起立筒部材
１２  添板金
１３  座口
１４  ストッパー
１６  脚
【図１】
0003131066.tif 000003
【図２】
0003131066.tif 000004
【図３】
0003131066.tif 000005
【手続補正書】
【提出日】平成19年2月7日(2007.2.7)
【手続補正１】
【補正対象書類名】実用新案登録請求の範囲
【補正対象項目名】請求項２
【補正方法】変更
【補正の内容】
【請求項２】
棚板の構成部材及び支柱がそれぞれ矩形断面の鋼管であって、棚板の構造について、矩形の枠組みの中に縦横桟を組み入れた格子状に構成され、四隅の継手の起立筒部材の側面に枠組みの縦横フレームを突き合わせ、外側にＬ字形に屈折して該両フレームの側面にわたる添板金を当て溶接により両フレーム、起立筒部材、添板金の相互を一体化したことを特徴とする請求項１記載の多段自在組立棚。